(57)【要約】      （修正有）【課題】軽量で装着が簡単で自分の希望する時間帯で長時間の自主訓練が出来、病院やリハビリ施設での訓練できる身体装着型携帯用回復訓練装具を提供する。【解決手段】後遺症で湾曲した指をいれる手袋１と板状プレートから構成される。手袋１はファスナー２および伸縮マジックテープまたはゴムバンドで閉めることができる。プレートにはマグネットや携帯用カイロを取り付けできる。自助努力で行う機能回復訓練装具であるため、他人に気がねせず訓練が出来、自ずと訓練意欲も湧き、回復効果も実感できる。【選択図】図１
2007130428.tif 000002
【特許請求の範囲】
【請求項１】
掌及び指を手袋に挿入し、掌の内側から板状プレートを差し入れ、同プレートで指を支える機能回復訓練装具である。
【請求項２】
手袋の素材はスポーツ用サポーター用のもので弾力性があり、木綿など少々厚手の収縮に富み、通風性や汗吸収性のあるものとする。又、手首の部分に収縮性マジックテープ、（商標登録）又は、ゴムバンド等を取り付ける機能回復訓練装具である。
【請求項３】
プレートは掌大の板状で、弾力性に富み折れにくい厚さ３ミリ以下のプラスチック板等軽量体で（あるいは材質を鉛等で作った重量体）平面型と湾曲型とした機能回復訓練装具である。
【請求項４】
軽量型プレートには多数の通風穴を設け通風性を高めた。又、指を固定した場合、緊張すると指が湾曲し、指先に強い力が加わり指を痛める。その為、力が加わってもプレートが曲がり自動的に力が抜けるようプレートに溝を作り、弾力をもたせ指を保護するよう工夫した。更に血液の循環を促す働きがあるマグネット（磁石）を取り付けた機能回復訓練装具である。
【請求項５】
手袋に手を差し込む。重量型のプレートをプレート差込み口から入れる。プレートの重さで腕が伸びるようにする。障害者の手は、指先だけの湾曲にとどまらず、肘の部分から曲がろうとする。掌に重量型プレートを付ける事により、内側に曲がろうとする腕を伸ばす。曲がったまま放置すると筋が堅くなり、湾曲状態になる。このプレートを着用することにより指先及び腕を伸ばす効果が得られる機能回復訓練装具である。
【請求項６】
冷え症や血行不良改善の為、プレート外側に市販の携帯用カイロを張り付けることで通風穴からのカイロの温度で掌を温め、（低温やけど防止）保温効果が得られるようにし、血行改善や冷え症改善を図った機能回復訓練装具である。
【請求項７】
厚手で保温力のある手袋のファスナー１．２．を開放し、プレートを置く。充分に揉みほぐし柔らかくなった手をプレートに乗せ２．１．の順にファスナーを閉める。指先が伸び保温効果が得られ、長時間緊張感から開放される機能回復訓練装具である。
【請求項８】
ピンポン玉位の弾力性のある球状体をプレート差込口から挿入し球状体を握ったり緩めたりして、指の伸縮運動を行い、筋力強化を図った機能回復訓練装具である。
【発明の詳細な説明】
【技術分野】
【０００１】  本発明は脳障害や各種事故による指先等のマヒ、緊張による指の湾曲症状、掌、指等の筋力退化の機能回復訓練用装着装具に関するものである。
【背景技術】
【０００２】  上記障害の改善や回復を図るべく、病院又はリハビリ施設等で訓練を行っているのが現状であるが、設備や作業療養士（理学療養士）等の不足、あるいはリハビリ希望者の多い事もあって、実際の訓練時間が短く、実質的回復効果が少ないのが実状である。【０００３】  上記訓練設備は、トレーニング室での訓練用で固定されており、外部に持ち出し、自分の希望する時間帯で長時間の自主訓練が出来ない。又、上記設備を個人で設置するには、資金的負担が大きすぎる。【０００４】
【特許文献１】  実開平７−２７５５５号  公報
【特許文献２】  特開２００３−２３６０１６号  公報
【発明の開示】
【発明が解決しようとする課題】
【０００５】  本発明は、従来の技術ではなし得なかった身体装着型の携帯用機能回復訓練装具であり、持ち運びが簡単で資金的負担も少なく、長時間の使用や外出時の装着などにも違和感が無く利便性が高い。
【課題を解決する為の手段】
【０００６】  この発明は後遺症によって曲がった指を入れる手袋の部分と、手袋に入っている手を支える板状プレート部分から構成される。
【０００７】  後遺症で湾曲した指を充分に揉みほぐし、柔らかくなった時点でファスナーを１．２．の順に開放し、指を差し入れ２．１．の順に閉める。
プレートを差込口から徐々に差し入れ指をプレートで支える。（プレート差し入れた後に指を入れても良い）
【発明の効果】
【０００８】  本発明は身体装着型であり、しかも軽量でいつでもどこへでも携帯でき、装着も簡単で資金的負担も少なく、長時間継続して回復訓練が出来る装具である。又、外出時の装着にも違和感がなくその為、訓練時間も確保でき機能回復効果も実感出来て、その利用価値は極めて高い。
【発明を実施する為の最良の形態】
【０００９】  本発明の実施形態を下記の通り説明する。
麻痺回復訓練としては（図９）露出している５本の指のうち、小指から親指の順に手の甲の方向に押し曲げる。この動作を３０〜５０回位行う。
次に、親指から小指の順に爪の外側を軽く挟むように指圧を加える。指先頭の部分を爪先で軽く３０〜５０回位指圧する。
【００１０】  湾曲症状回復訓練として健康な手を介助させ小指、人差指の４本を手の甲の方向や手の内側に強く押し曲げる。この動作を繰り返す事で掌の緊張がほぐれ指と指が離れるような感じで指が伸びる。この伸縮運動を３０〜５０回位行う。
上記運動を休む時は手を手袋に差し込みプレートを着用すると自然な状態に指が伸びるので継続的着用が望ましい。
【００１１】  次に、掌、指等の筋力回復訓練であるが、上記運動に加え筋力の弱い手で介助側の手首を握り、最初は弱く回数を重ねるにつれ徐々に力を加え、握ったり緩めたりの運動を３０〜５０回位行う。この運動を継続することで、非介助側の手に力がついてきた事が実感出来る。あるいはプレートを外し、ピンポン玉程の弾力性のある球状体をプレート差込口から差し入れ、この球状体を握ったり緩めたりして指の運動を行う。そうする事で筋力が強化され上記症状等が徐々に改善される。
【図面の簡単な説明】
【００１２】
【図１】  実施側の斜視図である。
【図２】  本発明の他の斜視図である。
【図３】  本発明の他の斜視図である。
【図４】  本発明の他の斜視図である。
【図５】  実施側の斜視図である。
【図６】  本発明の他の斜視図である。
【図７】  本発明の他の斜視図である。
【図８】  本発明の他の斜視図である。
【図９】  実施側の斜視図である。
【図１０】  本発明の他の斜視図である。
【図１１】  本発明の他の斜視図である。
【符号の説明】
【００１３】      １        手袋
２        ファスナー
３        手の甲入口
４        親指カット部分
５        親指の部分
６        五本指手袋
７        指先カット手袋
８        通風穴
９        マグネット
１０      みぞ
１１      板状プレート
１２      湾曲型プレート
１３      五本指平面プレート
１４      五本指湾曲プレート
１５      露出型
１６      非露出型
１７      露出型挿入口
１８      非露出型挿入口
１９      プレート挿入口
２０      伸縮マジックテープ（登録商標）又はゴムバンド
【図１】
2007130428.tif 000003
【図２】
2007130428.tif 000004
【図３】
2007130428.tif 000005
【図４】
2007130428.tif 000006
【図５】
2007130428.tif 000007
【図６】
2007130428.tif 000008
【図７】
2007130428.tif 000009
【図８】
2007130428.tif 000010
【図９】
2007130428.tif 000011
【図１０】
2007130428.tif 000012
【図１１】
2007130428.tif 000013